(57)【要約】      （修正有）【課題】スプールの軸方向の規制の安定化を図りながら、ドラグ設定力の影響を受けず、防水性能に優れた魚釣用スピニングリールを提供する。【解決手段】魚釣用スピニングリールは、スプール軸８と、ドラグ機構２０と、スプール軸８に固定され、ドラグ機構２０のドラグ設定力によってリール本体側に押し付けられたスプール３の後部側に当接し、スプール３がリール本体側に移動するのを規制する板状の規制部材３０と、を備える。規制部材３０の外周部側に取着される第１のシール部材３１と、規制部材３０の後面の内周部側に取着される第２のシール部材３２と、を備える。第１のシール部材３１は、スプール３の後部内周面３ｇに弾性変形可能に摺接し、第２のシール部材３２は、スプール軸８の外周面に弾性変形可能に摺接する。【選択図】図４
2020156366.tif 000002
【特許請求の範囲】
【請求項１】
リール本体に設けたハンドルの回転操作に連動して軸方向に往復動するスプール軸と、
前記スプール軸の回りに摩擦結合してスプールを回転可能に支持するドラグ機構と、
前記スプール軸に固定され、前記ドラグ機構のドラグ設定力によって前記リール本体側に押し付けられた前記スプールの後部側に当接し、前記スプールが前記リール本体側に移動するのを規制する板状の規制部材と、
前記規制部材の外周部側に取着される第１のシール部材と、
前記規制部材の後面の内周部側に取着される第２のシール部材と、を備え、
前記第１のシール部材は、前記スプールの後部内周面に弾性変形可能に摺接しており、
前記第２のシール部材は、前記スプール軸の外周面に弾性変形可能に摺接していることを特徴とする魚釣用スピニングリール。
【請求項２】
前記規制部材は、前記スプール軸に係止される係止部と、前記第１のシール部材が取着される第１取付部と、前記第２のシール部材が取着される第２取付部と、を備えていることを特徴とする請求項１に記載の魚釣用スピニングリール。
【請求項３】
前記第１のシール部材は、前記第１取付部に対して着脱可能であり、
前記第２のシール部材は、前記第２取付部に対して着脱可能であることを特徴とする請求項２に記載の魚釣用スピニングリール。
【請求項４】
前記規制部材は、環状体を呈しており、前記後部内周面は、前記スプールの後部に設けられた環状の凹部内に形成されていることを特徴とする請求項１から請求項３のいずれか１項に記載の魚釣用スピニングリール。
【発明の詳細な説明】
【技術分野】
【０００１】
本発明は、魚釣用スピニングリールに関するものである。
【背景技術】
【０００２】
一般的に、魚釣用スピニングリールは、釣糸が巻回されるスプールに釣糸繰り出し方向に制動力を付与するドラグ機構を備える。
従来、ドラグ機構の性能を維持するために、ドラグ機構に水分が浸入するのを防止した魚釣用スピニングリールとして、特許文献１に開示されたものが知られている。
【０００３】
特許文献１の魚釣用スピニングリールは、スプール後部のスカート部内において、スプールと相対回転するスプール軸にシール部材を配設している。
【先行技術文献】
【特許文献】
【０００４】
【特許文献１】特許第３５２２５２６号公報
【発明の概要】
【発明が解決しようとする課題】
【０００５】
ところで、スプール後部のスカート部内のエリアは、前後動するスプールと回転するロータとが対向しているエリアであり、構造上、軸方向及び径方向に外部との大きな隙間が形成される。このため、スカート部内のエリアには、実釣時に海水や水、異物等が侵入し易い。
【０００６】
特許文献１の魚釣用スピニングリールは、スプール軸に装着される規制部材とスプールとの間に、ゴム製の防水用摺接部材を挟持しており、防水用摺接部材の外周縁部をスプールのロータ側の後部内周面に摺接させている。このため、特許文献１の魚釣用スピニングリールは、ドラグで設定したドラグ設定力が防水用摺接部材に直接作用し、ドラグ設定力の強弱によってスプールに対する挟持力が変化する。つまり、特許文献１の魚釣用スピニングリールは、防水性能がドラグ設定力の影響を受け易い。
【０００７】
また、ドラグ設定力の強弱によって防水用摺接部材が弾性変形するので、スプールの軸方向の規制位置が軸方向にわずかに変位し、スプールに巻回される釣糸の糸巻状態に影響が生じるおそれがある。
【０００８】
本発明は、前記課題を解決するためになされたものであり、スプールの軸方向の規制の安定化を図りながら、ドラグ設定力の影響を受けず、防水性能に優れた魚釣用スピニングリールを提供することを目的とする。
【課題を解決するための手段】
【０００９】
前記目的を達成するために本発明の魚釣用スピニングリールは、リール本体に設けたハンドルの回転操作に連動して軸方向に往復動するスプール軸と、前記スプール軸の回りに摩擦結合してスプールを回転可能に支持するドラグ機構と、を備えている。また、前記スプール軸に固定され、前記ドラグ機構のドラグ設定力によって前記リール本体側に押し付けられた前記スプールの後部側に当接して、前記スプールが前記リール本体側に移動するのを規制する板状の規制部材を備えている。さらに、前記規制部材の外周部側に取着される第１のシール部材と、前記規制部材の後面の内周部側に取着される第２のシール部材と、を備えている。前記第１のシール部材は、前記スプールの後部内周面に弾性変形可能に摺接しており、前記第２のシール部材は、前記スプール軸の外周面に弾性変形可能に摺接していることを特徴とする。
【００１０】
この魚釣用スピニングリールでは、スプール軸に固定された規制部材によって、リール本体側へスプールが移動するのを規制できる。したがって、スプール軸の所定位置にスプールを位置決めできる。また、規制部材の外周部側に第１のシール部材が取着され、規制部材の後面の内周部側に第２のシール部材が取着されるので、スプールと規制部材との軸方向にシール部材が介在するような構成を排除できる。したがって、スプールの固定にシール部材が影響することがなく、スプール軸の所定位置にスプールを位置決めできる。
また、第１のシール部材がスプールの後部内周面に弾性変形可能に摺接して規制部材の外周側がシールされるとともに、第２のシール部材がスプール軸の外周面に弾性変形可能に摺接して規制部材の内周側がシールされる。したがって、スプールとスプール軸との間が好適にシールされ、スプール内への海水、水、異物等がの侵入が抑制される。
【００１１】
また、前記規制部材は、前記スプール軸に係止される係止部と、前記第１のシール部材が取着される第１取付部と、前記第２のシール部材が取着される第２取付部と、を備えていることが好ましい。
このように構成することによって、スプール軸に簡単に規制部材を係止することができるとともに、第１のシール部材の取り付け及び第２のシール部材の取り付けを簡単に行うことができる。したがって、構成が簡単であるとともに組付性に優れる。
【００１２】
また、前記第１のシール部材は、前記第１取付部に対して着脱可能であり、また、前記第２のシール部材は、前記第２取付部に対して着脱可能であることが好ましい。
このように構成することによって、組付性に優れる。また、部品交換も簡単に行うことができメンテナンス性に優れる。
【００１３】
また、前記規制部材は、環状体を呈しており、前記後部内周面は、前記スプールの後部に設けられた環状の凹部内に形成されていることが好ましい。
このように構成することによって、簡単な構成で、スプールとスプール軸との間を好適にシールできる。
【発明の効果】
【００１４】
本発明によれば、スプールの軸方向の規制の安定化を図りながら、ドラグ設定力の影響を受けず、防水性能に優れた魚釣用スピニングリールが得られる。
【図面の簡単な説明】
【００１５】
【図１】本発明の第１実施形態に係る魚釣用スピニングリールの全体構成を示しつつ要部を断面で表した側面図である。
【図２】スプール軸からスプールを取り外して規制部材を露出させた状態を示す斜視図である。
【図３】スプールの拡大断面図である。
【図４】規制部材の組み付け状態を示す拡大断面図である。
【図５】規制部材の断面拡大斜視図である。
【図６】規制部材の係止部を示す図であり、（ａ）は前面図、（ｂ）は側面図、（ｃ）は後面図、（ｄ）は断面図である。
【図７】規制部材の第１のシール部材を示す図であり、（ａ）は拡大前面図、（ｂ）は拡大側面図、（ｃ）は拡大後面図、（ｄ）は拡大断面図である。
【図８】規制部材の第２のシール部材を示す図であり、（ａ）は拡大前面図、（ｂ）は拡大側面図、（ｃ）は拡大後面図、（ｄ）は拡大断面図である。
【発明を実施するための形態】
【００１６】
以下、本発明に係る魚釣用スピニングリールの実施形態について図面を参照して説明する。以下の説明において、「前後」「上下」を言うときは、図１に示す方向を基準とし、「左右」を言うときは、図５に示す方向を基準とする。
【００１７】
はじめに魚釣用スピニングリール１の基本構造について説明する。
図１に示すように、魚釣用スピニングリール１は、ハンドル５ａを備えるリール本体１０と、ハンドル５ａの巻き取り操作により回転するロータ２と、ハンドル５ａの巻き取り操作により前後方向に往復運動するスプール３と、を備えている。
【００１８】
リール本体１０は、左側に向って開口する円形の側部開口部１６が形成されたボディ１１を備えている。また、リール本体１０は、ボディ１１から上方に延びて上端に竿取付部１２ａが形成された脚部１２と、ボディ１１の前側に設けられたボディ前部１３と、側部開口部１６を閉塞しつつハンドル軸（不図示）を支持する蓋部材１４とを備えている。
【００１９】
ボディ前部１３内には、駆動軸筒７とスプール軸８が挿入されている。駆動軸筒７は、ボディ前部１３に回転自在に支持されている。
駆動軸筒７の前端及びスプール軸８の前端は、ボディ前部１３よりも前方に突出している。そして、駆動軸筒７の前端にロータ２が取り付けられ、スプール軸８の前端にスプール３が取り付けられている。
【００２０】
一方、駆動軸筒７の後端及びスプール軸８の後端は、ボディ１１内に配置されている。また、駆動軸筒７の後部には、ピニオンギャ（不図示）が一体に形成されている。蓋部材１４は、円形の部材であり、螺合によって側部開口部１６に固定され、側部開口部１６を閉塞しつつハンドル軸（不図示）を軸支している。
【００２１】
ボディ１１内には、ハンドル軸（不図示）に固定されるドライブギャ及び歯車（不図示）と、スプール往復動装置（不図示）と、が組み付けられている。ドライブギャにより、ピニオンギャを介して駆動軸筒７及びロータ２が回転駆動される。また、スプール往復動装置を介してスプール軸８が前後方向に往復運動する。
【００２２】
スプール３は、ドラグ機構２０を介して制動力を受けた状態でスプール軸８に回転可能に取り付けられている。スプール３は、その後側がスプール軸８に固定された規制部材としての座板３０に保持され、前側がスプール軸８に螺合されたドラグノブ４０に保持されており、座板３０とドラグノブ４０とによってスプール軸８の前後方向に挟持されている。
【００２３】
スプール３の前部には、図３に示すように、前方に向けて開口する有底筒状の凹部５５が形成されている。凹部５５にはドラグノブ４０の基部側が配設される。そして、凹部５５内には、クリック音を発生する発音装置５０が取り付けられている。以下、各部について詳細に説明する。
【００２４】
スプール軸８は、図３に示すように、後側から前側に向けて大径部８ａと、中径部８ｂと、小径部８ｃと、最小径部８ｄと、を備え、先端に向けて階段状に縮径する先細り形状とされている。
【００２５】
大径部８ａは、断面円形状である。また、中径部８ｂおよび小径部８ｃは、径方向に対向する一対の平面を備えた断面小判形状である。最小径部８ｄは、断面円形状である。小径部８ｃの前部には、スプール軸８にドラグノブ４０を螺合するための雄ねじが形成されている。
【００２６】
スプール３は、円筒形状を呈しており、前側軸受（ボールベアリング）２２と後側軸受（ボールベアリング）２４とを介してスプール軸８に回転可能に支持されている。スプール３は、釣糸が巻回される巻回胴部３ａと、巻回胴部３ａよりも大径に形成され、巻回胴部３ａの糸巻量を規定する前フランジ部３ｂ及び後フランジ部３ｃと、を備えている。巻回胴部３ａの内側には、スプール軸８に向けて延出する円板状の支持部３ａ１が一体に形成されている。支持部３ａ１の内周部には、後側軸受２４の外輪が装着されている。後側軸受２４の内輪には、スプール軸８の中径部８ｂが挿通されている。
【００２７】
巻回胴部３ａの内側において、支持部３ａ１の前側には、ドラグ機構２０を構成する制動部材及びドラグ機構２０を後方へ向けて押圧する押圧部材２１が配置されている。ドラグ機構２０及び押圧部材２１は、スプール軸８の中径部８ｂに支持されている。押圧部材２１の外周部は、前側軸受２２を介して巻回胴部３ａの内周面３ｈに支持されている。前側軸受２２の前方において、巻回胴部３ａの内周面３ｈには、抜け止め部材２３が取り付けられている。抜け止め部材２３は、巻回胴部３ａの内側から前側軸受２２、押圧部材２１、ドラグ機構２０及び後側軸受２４が抜け出るのを防止している。
【００２８】
また、巻回胴部３ａの内側において、支持部３ａ１の後側には、ワッシャ３３を介して座板３０が配置されている。座板３０は、スプール３の後部側をスプール軸８に位置決めする部材である。また、座板３０は、スプール３の後フランジ部３ｃの内側に海水、水、異物等が侵入した場合に、これが巻回胴部３ａの内側（ドラグ機構２０）に侵入するのを防止する役割をなす。座板３０の詳細は後記する。
【００２９】
前フランジ部３ｂは、巻回胴部３ａの前端に連続して径方向に延在する前フランジ本体３ｂ１と、前フランジ本体３ｂ１の前面外周部に取り付けられた前カバー３ｆとを備えている。前フランジ本体３ｂ１は、発音装置５０の後記するケース部材５１が取り付けられる壁部として機能する。前フランジ本体３ｂ１の前面３ｅは、前方に臨むように形成されている。前面３ｅは、凹部５５の底面として機能し、発音装置５０の取付面となる。
【００３０】
ドラグノブ４０は、板状のベース部４１と、ツマミ部４２と、押圧部４３と、を備えている。ベース部４１の中央部の後面には、スプール軸８の小径部８ｃが螺合されるナット部材４６が軸方向移動可能に回り止め配置されている。ナット部材４６と押圧部４３との間には、圧縮コイルばね４５が配設されている。
【００３１】
押圧部４３の後端部は、図３に示すように、巻回胴部３ａの内側に延在しており、後端面が押圧部材２１の前端面に当接している。押圧部４３の後端外周部には、巻回胴部３ａの内周面３ｈに液密に当接する押圧部用シール部材４３ａが設けられている。
【００３２】
このようなドラグノブ４０は、ツマミ部４２を捩じ込むことで、圧縮コイルばね４５の押圧力を介して後部側の押圧部４３が押圧部材２１を押圧する。これによって、ドラグ機構２０が押圧部材２１で押圧され、ドラグ機構２０に制動力が生じ、スプール３がスプール軸８に摩擦結合される。
【００３３】
発音装置５０は、クリック音を発生する装置であり、ドラグ機構２０による制動力に抗してスプール３がスプール軸８に対して釣糸繰り出し方向に回動した際に発音する装置である。発音装置５０は、スプール３の前フランジ本体３ｂ１の前方側とドラグノブ４０との間に配設されており、具体的には、スプール３の凹部５５内に設けられている（図２，図３参照）。つまり、発音装置５０は、ドラグノブ４０が取り付けられる側のスプール３の前方の広いスペースを利用して設置されている。
【００３４】
発音装置５０は、図３に示すように、ケース部材５１と、発音ギャ５３と、音出し部材としての音出しピン５４とを備えている。ケース部材５１、発音ギャ５３及び音出しピン５４は一体に組み付けられてユニット化されている。ケース部材５１は、スプール３側に固定されている。
【００３５】
発音ギャ５３は、音出しピン５４が弾発係合して発音する発音部材を構成している。発音ギャ５３は、スプール軸８側に係合している。
発音ギャ５３と音出しピン５４とは、スプール３の径方向に重なるように配置されている。
【００３６】
ドラグノブ４０は、スプール軸８（小径部８ｃ）に螺合されている。ドラグノブ４０は、ツマミ部４２を捩じ込むことで、押圧部４３がドラグ機構２０を押圧するように構成されている。これによって、ドラグ機構２０に制動力が生じる。また、ツマミ部４２を捩じ込むことで、スプール３の後部が座板３０に当接して位置決めされる。
【００３７】
次に、座板３０について詳細に説明する。
座板３０は、図５，図６に示すように、金属製の円板状の基板３０ａと、ゴム製の大径の第１のシール部材３１及び第１のシール部材３１よりも小径の第２のシール部材３２と、を備えている。
基板３０ａは、スプール軸８の中径部８ｂ（図３参照）が挿通される断面小判形状の中央孔３０ｂを有している。基板３０ａは、スプール軸８の中径部８ｂに支持され、中径部８ｂと大径部８ａとの段差部となる大径部８ａの前端面８ｂ１に当接する状態で、スプール軸８に位置決めされている（図４参照）。基板３０ａの外周部３０ｃは、図６（ｄ）に示すように、後方へ向けてフランジ状に延在している。この外周部３０ｃには、断面凹状の周溝３０ｃ１が形成されている。ここで、基板３０ａは、特許請求の範囲における「係止部」として機能し、また、外周部３０ｃは、特許請求の範囲における「第１取付部」として機能する。
【００３８】
基板３０ａの後面には、図６（ｃ）に示すように、中央孔３０ｂの縁部から後方に向けて突出する後面視環状の環状突部３０ｅが形成されている。環状突部３０ｅは、図５，図６（ｄ）に示すように、断面鈎形状を呈しており、径方向外側に向けて突出する環状のフック部３０ｅ１を備えている。環状突部３０ｅは、特許請求の範囲における「第２取付部」として機能する。
【００３９】
第１のシール部材３１は、図５，図７各図に示すように、環状の第１基部３１ｂと、嵌合部３１ｃと、第１リップ部３１ａと、を備えている。第１基部３１ｂは、基板３０ａの外周部３０ｃに外嵌される部分である。第１基部３１ｂの内周面には、径方向内側に向けて突出する断面四角形状の嵌合部３１ｃが形成されている。嵌合部３１ｃは、基板３０ａの外周部３０ｃの周溝３０ｃ１に嵌合される。第１リップ部３１ａは、第１基部３１ｂの前部外面から径方向外側に延在している。このような第１のシール部材３１は、基板３０ａの外周部３０ｃに装着されている。スプール軸８に座板３０を取り付けると、第１リップ部３１ａは、図４に示すように、スプール３の巻回胴部３ａの内周面３ｇに弾力性をもって液密に当接する。内周面３ｇは、図４に示すように、スプール３の後部に設けられた環状の凹部３ｍ内に形成されている。
【００４０】
第２のシール部材３２は、図５，図８各図に示すように、環状の第２基部３２ｂと、凹溝３２ｅと、第２リップ部３２ａと、を備えている。凹溝３２ｅは、第２基部３２ｂの内周面に沿って断面凹状に形成されている。第２リップ部３２ａは、第２基部３２ｂの後部内面から径方向内側に延在している。このような第２のシール部材３２は、基板３０ａの環状突部３０ｅに装着されている。図５に示すように、第２のシール部材３２の凹溝３２ｅ内には、環状突部３０ｅのフック部３０ｅ１が係合している。スプール軸８に座板３０を取り付けると、第２リップ部３２ａは、スプール軸８の大径部８ａの外周面に弾力性をもって液密に当接する。
このようなシール構造によって、支持部３ａ１の後側から巻回胴部３ａの内側への海水や水、異物等の侵入が好適に防止されている。
【００４１】
以上説明した魚釣用スピニングリール１では、スプール軸８に固定された座板３０によって、リール本体１０側へスプール３が移動するのを規制できる。したがって、スプール軸８の所定位置にスプール３を位置決めできる。
また、基板３０ａの外周部３０ｃ側に第１のシール部材３１が取着され、基板３０ａの後面の内周部側に第２のシール部材３２が取着されるので、スプール３と座板３０との軸方向にシール部材が介在するような構成を排除できる。つまり、ドラグ機構２０で設定したドラグ設定力が第１のシール部材３１及び第２のシール部材３２に作用することがない。したがって、スプール３の固定にシール部材が影響することがなく、スプール軸８の所定位置にスプール３を位置決めできる。
【００４２】
また、第１のシール部材３１がスプール３の後部の内周面３ｇに弾性変形可能に摺接して座板３０の基板３０ａの外周部３０ｃ側がシールされるとともに、第２のシール部材３２がスプール軸８の外周面に弾性変形可能に摺接して座板３０の基板３０ａの内周側がシールされる。したがって、スプール３とスプール軸８との間が好適にシールされ、スプール３内への海水、水、異物等がの侵入が抑制される。
【００４３】
また、座板３０は、基板３０ａと、第１のシール部材３１が取着される外周部３０ｃと、第２のシール部材３２が取着される環状突部３０ｅを有する第２取付部と、を備えている。したがって、スプール軸８に簡単に座板３０を係止することができるとともに、第１のシール部材３１の取り付け及び第２のシール部材３２の取り付けを簡単に行うことができる。したがって、構成が簡単であるとともに組付性に優れる。
【００４４】
また、第１のシール部材３１は、基板３０ａの外周部３０ｃに対して着脱可能であり、第２のシール部材３２は、基板３０ａの環状突部３０ｅ対して着脱可能である。したがって、組付性に優れる。また、部品交換も簡単に行うことができメンテナンス性に優れる。
【００４５】
また、座板３０は、環状体を呈しており、後部の内周面３ｇは、スプール３の後部に設けられた環状の凹部３ｍ内に形成されているので、簡単な構成であり、スプール３とスプール軸８との間を好適にシールできる。
【００４６】
以上、本発明の実施形態について説明したが、本発明は、上記した実施形態に限定されることはなく、種々変形することが可能である。
例えば、座板３０の外形は、巻回胴部３ａの内側に収まる大きさとしたが、これに限られることはなく、適宜の大きさに設定することができる。
【００４７】
また、座板３０の基板３０ａは、外形が円形状のものを示したが、これに限られることはなく、種々の形状のものを採用することができる。
【符号の説明】
【００４８】
１      魚釣用スピニングリール
３      スプール
３ａ    巻回胴部
３ｇ    内周面（後部内周面）
８    スプール軸
１０    リール本体
２０    ドラグ機構
３０    座板（規制部材）
３０ａ  係止部
３０ｃ  外周部（第１取付部）
３０ｅ  環状突部（第２取付部）
３１    第１のシール部材
３２    第２のシール部材
【図１】
2020156366.tif 000003
【図２】
2020156366.tif 000004
【図３】
2020156366.tif 000005
【図４】
2020156366.tif 000006
【図５】
2020156366.tif 000007
【図６】
2020156366.tif 000008
【図７】
2020156366.tif 000009
【図８】
2020156366.tif 000010